(57)【要約】【課題】  簡単な構成で、かつ、使用者が入浴しながら良質な音楽を楽しむことができるオーディオ装置を提供する。【解決手段】  中空の密閉された容器１と、容器１の内部に設けられ、容器１全体を振動させることによって音を発生させる振動スピーカ１５と、容器１の内部に設けられ、入力されるオーディオデータに基づいて振動スピーカ１５を駆動する駆動部と、を備え、容器１の一部が水面より上に現れた状態で水に浮かぶように構成されている。【選択図】  図１
2019040075.tif 000002
【特許請求の範囲】
【請求項１】
中空の密閉された容器と、
前記容器の内部に設けられ、前記容器全体を振動させることによって音を発生させる振動スピーカと、
前記容器の内部に設けられ、入力されるオーディオデータに基づいて前記振動スピーカを駆動する駆動部と、
を備え、
前記容器の一部が水面より上に現れた状態で水に浮かぶように構成された、
オーディオ装置。
【請求項２】
前記容器は、球体形状または略球体形状である、
請求項１に記載のオーディオ装置。
【請求項３】
前記容器の内部に設けられ、外力によって生じる前記容器の動きを検出し、予め定められた特定の動きと一致したときに検出信号を出力するモーションセンサと、
前記容器の内部に設けられ、前記モーションセンサから検出信号を入力したときに、前記特定の動きに対応して予め定められた制御内容に基づいて前記駆動部を制御する制御部と、
をさらに備えた、請求項１または２に記載のオーディオ装置。
【請求項４】
前記容器の内部に設けられ、使用者の操作に応じた制御信号を生成して送信する外部装置と無線通信する無線通信部と、
前記容器の内部に設けられ、前記無線通信部が前記外部装置から送信される前記制御信号を受信したときに、前記制御信号に基づいて前記駆動部を制御する制御部と、
をさらに備えた、請求項１乃至３のいずれかに記載のオーディオ装置。
【発明の詳細な説明】
【技術分野】
【０００１】
本発明は、浴槽等に浮かべて使用するオーディオ装置に関する。
【背景技術】
【０００２】
従来、入浴時に音楽を楽しむために浴槽等に浮かべて使用するオーディオ装置がある（例えば、特許文献１，２参照）。
【０００３】
特許文献１には、透明な容器の表面に、スピーカと、照明体とを設け、内部には、音声信号を受けて該照明体を点滅させる点滅回路と、上記スピーカ及び点滅回路に音声信号を送る受信器とを設け、かつ、上記透明な容器を水面に浮く構成としたことを特徴とする浴室スピーカが記載されている。
【０００４】
また、特許文献２には、液面に浮かせ得る浮揚発音体を備え、該浮揚発音体から音を発して音響再生を行う音響再生装置において、浮揚発音体は、フロートとして機能する防水ケースと、該防水ケースの着液側に配されて液体をダイレクトに振動させる液体振動手段とを有し、液体振動手段は、防水ケースの外面より突出して液体を振動させるドーム形の外部振動板を有している音響再生装置の構成が記載されている。さらに、液体振動手段が低音域の音波を出力する低音用スピーカユニットであり、液面上に露出する防水ケースの上部には高音域の音波を出力する空気振動手段が設けられた構成が記載されている。
【先行技術文献】
【特許文献】
【０００５】
【特許文献１】実公平７−９４９７号公報
【特許文献２】特許第４１９６４０５号公報
【発明の概要】
【発明が解決しようとする課題】
【０００６】
特許文献１の場合、スピーカが透明な容器の上部外表面にあって、浴槽水面上の空気中に音声を出力するので、低音域を大音量で出力した場合には残響によって良質な再生音を得られない。
【０００７】
また、特許文献２の場合、空気振動手段によって直接、耳で音楽を聴くことができるとともに、液体振動手段によって浴槽内の湯を振動させることによって低音域の音を体感することができ、入浴しながら良質な音楽を楽しむことができる。しかし、空気振動手段及び液体振動手段となる複数のスピーカユニットが必要となり、装置構成が複雑化する。
【０００８】
本発明は上記のような課題を解決するためになされたもので、簡単な構成で、かつ、使用者が入浴しながら良質な音楽を楽しむことができるオーディオ装置を提供することを目的としている。
【課題を解決するための手段】
【０００９】
上記目的を達成するために、本発明のある態様に係るオーディオ装置は、中空の密閉された容器と、前記容器の内部に設けられ、前記容器全体を振動させることによって音を発生させる振動スピーカと、前記容器の内部に設けられ、入力されるオーディオデータに基づいて前記振動スピーカを駆動する駆動部と、を備え、前記容器の一部が水面より上に現れた状態で水に浮かぶように構成されている。
【００１０】
このオーディオ装置は、例えば、湯水の入った浴槽に浮かべて使用するもので、密閉構造の容器内に振動スピーカを設け、振動スピーカの振動によって容器全体を振動させることによりオーディオデータが再生される。このとき、容器の水面より上の部分の振動が空気中を伝搬して直接、耳で音楽を聴くことができるとともに、容器の水面より下の部分の振動が水中を伝搬して入浴者が音楽を体感することができる。よって、１つの振動スピーカを用いた簡単な構成で、かつ、使用者が入浴しながら良質な音楽を楽しむことができる。
【００１１】
前記容器は、球体形状または略球体形状であってもよい。この構成によれば、容器を球体形状または略球体形状とすることにより、容器の水面より上の部分の振動、及び、容器の水面より下の部分の振動がほぼ均一に広がる。すなわち、音が周囲にほぼ均一に広がるので、どの方向から聴いても同程度の音量で聞くことができて非常に好ましい。
【００１２】
前記容器の内部に設けられ、外力によって生じる前記容器の動きを検出し、予め定められた特定の動きと一致したときに検出信号を出力するモーションセンサと、前記容器の内部に設けられ、前記モーションセンサから検出信号を入力したときに、前記特定の動きに対応して予め定められた制御内容に基づいて前記駆動部を制御する制御部と、をさらに備えていてもよい。
【００１３】
この構成によれば、使用者が、予め定められた特定の動きとなるように容器を動かすことによって、特定の動きに対応して予め定められた制御内容に基づいて駆動部が制御される。例えば、オーディオデータの再生の開始および停止、音量の大小の調整等の各々の制御内容に対して特定の動きを設定しておいて、使用者が容器を動かすことによって制御内容を実行させることができる。
【００１４】
前記容器の内部に設けられ、使用者の操作に応じた制御信号を生成して送信する外部装置と無線通信する無線通信部と、前記容器の内部に設けられ、前記無線通信部が前記外部装置から送信される前記制御信号を受信したときに、前記制御信号に基づいて前記駆動部を制御する制御部と、をさらに備えていてもよい。
【００１５】
この構成によれば、使用者が外部装置を操作することによって駆動部が制御される。例えば、オーディオデータの再生の開始および停止、音量の大小の調整等の各々の制御内容に応じた操作を行うことができるように外部装置を構成しておいて、使用者の操作に応じた制御内容を示す制御信号を外部装置が生成して送信することによって、制御内容を実行させることができる。
【発明の効果】
【００１６】
本発明は、以上に説明した構成を有し、簡単な構成で、かつ、使用者が入浴しながら良質な音楽を楽しむことができるオーディオ装置を提供することができるという効果を奏する。
【図面の簡単な説明】
【００１７】
【図１】図１（Ａ）は、本発明の第１実施形態の一例のオーディオ装置を上方から見た透視図であり、図１（Ｂ）は、同オーディオ装置を側方から見た透視図である。
【図２】図２は、図１のオーディオ装置のブロック図である。
【図３】図３は、オーディオ装置に用いられる容器の他の形状の一例を示す図である。
【図４】図４は、本発明の第２実施形態の一例のオーディオ装置及び該オーディオ装置を使用するために必要な外部装置のブロック図である。
【図５】図５（Ａ）は、図４のオーディオ装置を操作する機能を有する風呂リモコンの一例を示す正面図であり、図５（Ｂ）、（Ｃ）はそれぞれオーディオ装置を操作する場合の風呂リモコンの表示部の一例を示す図である。
【発明を実施するための形態】
【００１８】
以下、好ましい実施の形態を、図面を参照しながら説明する。なお、以下では全ての図面を通じて同一又は相当する要素には同一の参照符号を付して、その重複する説明を省略する。また、本発明は、以下の実施形態に限定されない。
【００１９】
（第１実施形態）
図１（Ａ）は、本発明の第１実施形態の一例のオーディオ装置を上方から見た透視図であり、図１（Ｂ）は、同オーディオ装置を側方から見た透視図である。図２は、図１のオーディオ装置のブロック図である。
【００２０】
このオーディオ装置１０は、球体形状をなす中空の容器１と、容器１内に固定された円形状の振動伝達板２と、電子回路基板３と、振動伝達板２上に固定された振動スピーカ１５と、モーションセンサ１６と、図２に示す記憶媒体１８を着脱可能なスロット１７とを備えている。なお、容器１は、内部に水が入らないような密閉構造をしている。そして、容器１の内部に設けられた電子回路基板３、振動スピーカ１５、モーションセンサ１６及びスロット１７等の配置等は適宜変更可能である。また、図１及び図２には示されていないが、容器１内には電源としてのバッテリが収納されている。
【００２１】
電子回路基板３には、図２に示すように、制御部１１、オーディオデコーダ部１２、Ｄ／Ａ（デジタル／アナログ）変換部１３及び増幅部（アンプ部）１４が設けられている。そして、増幅部１４の出力が振動スピーカ１５に入力される。ここでは、オーディオデコーダ部１２、Ｄ／Ａ変換部１３及び増幅部１４によって、振動スピーカ１５を駆動させる駆動部が構成されている。制御部１１は、例えばマイクロコントローラ等で構成され、オーディオ装置１０の全体を制御する。
【００２２】
スロット１７は、記憶媒体１８と制御部１１とを電気的に接続するものである。記憶媒体１８は、例えば、フラッシュメモリを内蔵したカード等であり、各種の大きさ、記憶容量のものが市販されている。この記憶媒体１８には、圧縮された楽曲のオーディオデータ等が格納されており、記憶媒体１８は音源として用いられる。また圧縮形式としては、例えば、ＭＰ３、ＴＷＩＮ−ＶＱ、ＡＡＣ、ＡＴＲＡＣ（登録商標）などが考えられる。
【００２３】
記憶媒体１８に記憶されている楽曲（オーディオデータ）を再生する場合、制御部１１は、記憶媒体１８から圧縮されたオーディオデータを読み出し、オーディオデコーダ部１２に供給する。そして、オーディオデコーダ部１２は、制御部１１により読み出された圧縮されたオーディオデータを圧縮前のオーディオデータに復元して、Ｄ／Ａ変換部１３に供給する。Ｄ／Ａ変換部１３は、オーディオデコーダ部１２によって復元されたオーディオデータをアナログのオーディオ信号に変換し、増幅部１４に供給する。増幅部１４は、Ｄ／Ａ変換部１３によって変換されたオーディオ信号を増幅し、振動スピーカ１５へ供給する。振動スピーカ１５は、増幅部１４によって増幅されたオーディオ信号に基づいて駆動されて上下方向（矢印Ｓ１方向）に振動し、それに伴って振動伝達板２とともに容器１が上下方向に振動することによって楽曲が再生される（音が発生する）。
【００２４】
この記憶媒体１８に記憶されている楽曲の再生等は、モーションセンサ１６の検出信号に基づいて制御部１１の制御によって行われる。
【００２５】
モーションセンサ１６は、例えば、ジャイロセンサ及び加速度センサ等を用いて構成され、容器１の動きを検出し、その動きに応じた検出信号を制御部１１へ出力する。モーションセンサ１６は、例えば、容器１の中心を通り上下方向に延びる仮想軸Ａ１を中心とする一方向への１回転（右回転）及び他方向への１回転（左回転）の動作、容器１の中心を通り左右方向に延びる仮想軸Ａ２を中心とする一方向への１回転（前方回転）及び他方向への１回転（後方回転）の動作、及び、容器１の水中への素早い下降動作を検出する。これらの容器１の動作（動き）は、使用者による外力によって生じる。なお、容器１は予めその正面が決められており、使用者にわかるように、例えば、容器１の正面に目印Ｍ１等が設けられている。
【００２６】
制御部１１では、モーションセンサ１６で検出される、予め定められた容器１の複数の特定の動き（前述の右回転、左回転、前方回転、後方回転、下降動作）の各々に対応する制御内容を予め記憶している。そして、モーションセンサ１６からの容器１の特定の動きを示す検出信号に応じて、制御内容（再生の開始及び停止、音量の大小の調整等）を実行する。
【００２７】
例えば、記憶媒体１８には複数の楽曲のオーディオデータが記憶されており、楽曲を再生していないときに、制御部１１がモーションセンサ１６から下降動作を示す検出信号を入力した場合には再生を開始させ、再生中のときに下降動作を示す検出信号を入力した場合には再生を停止する。また、再生中のときに右回転動作を示す検出信号を入力した場合には、現在再生中の曲の次の曲の再生を開始し、再生中のときに左回転動作を示す検出信号を入力した場合には、現在再生中の曲の前の曲の再生を開始する。また、再生中のときに前方回転動作を示す検出信号を入力した場合には、音量を小さくするよう音量調整部（図示せず）を制御し、再生中のときに後方回転動作を示す検出信号を入力した場合には、音量を大きくするよう音量調整部を制御する。なお、音量調整部は、例えば、増幅部１４の前段に設けられる。
【００２８】
本実施形態のオーディオ装置１０は、例えば、湯水の入った浴槽に浮かべて使用するもので、図１（Ｂ）に示すように、容器１のほぼ上半分が水面上にあって、容器１のほぼ下半分が水面下となるように構成されている。そして、密閉構造の容器１内に、１つの振動スピーカ１５を固定し、振動スピーカ１５の振動によって容器１全体を振動させることにより、容器１の水面より上の部分の振動が空気中を伝搬して直接、耳で音楽を聴くことができるとともに、容器１の水面より下の部分の振動が水中を伝搬して入浴者が音楽を体感することができる。よって、１つの振動スピーカ１５を用いた簡単な構成で、かつ、使用者が入浴しながら良質な音楽を楽しむことができる。
【００２９】
なお、本実施形態では、容器１を球体形状としたが、これに限られない。容器１を球体形状または略球体形状とすることにより、容器１の水面より上の部分の振動、及び、容器１の水面より下の部分の振動がほぼ均一に広がる。すなわち、音が周囲にほぼ均一に広がるので、どの方向から聴いても同程度の音量で聞くことができて非常に好ましい。
【００３０】
図３に、容器１の他の形状の一例を示す。図３では、立方体形状あるいは立方体に近い直方体形状の容器１Ｂを用いている。この容器１Ｂの場合、振動スピーカ１５が矢印Ｓ１方向へ振動すると、音の指向性（伝搬する方向性）が強くなるので、周囲のどの方向からでも同じ音量で聞こえるようにするという点では、球体形状または略球体形状の方が優れている。
【００３１】
また、容器１の他の形状としては、正八面体、正十二面体、正二十四面体、扁球または長球のような回転楕円体、縦断面形状が陸上競技トラックのような形状となる回転体等が考えられる。
【００３２】
また、本実施形態では、容器１の動きを検出するモーションセンサ１６を容器１に内蔵し、使用者（入浴者）が容器１を動かすことによってオーディオ装置１０を簡単に操作することができる。なお、水面に浮かんでいるオーディオ装置１０が揺れることによって使用者（入浴者）の意図しない動作が行われないように、例えば、容器１に防水が施されたスイッチを設け、制御部１１では、同スイッチが押されているときに入力されるモーションセンサ１６の検出信号を有効とし、同スイッチが押されていないときに入力されるモーションセンサ１６の検出信号を無効とするように構成してもよい。
【００３３】
（第２実施形態）
図４は、本発明の第２実施形態の一例のオーディオ装置及び該オーディオ装置を使用するために必要な外部装置のブロック図である。
【００３４】
このオーディオ装置１０Ａは、第１実施形態おけるオーディオ装置１０と同様の容器１と、振動伝達板２と、電子回路基板３と、振動スピーカ１５とを備えている。しかし、モーションセンサ１６と、音源となる記憶媒体１８を装着するスロット１７とを備えておらず、電子回路基板３に無線通信部１９が設けられている。オーディオ装置１０Ａで再生されるオーディオデータは無線通信部１９を介して外部装置から入力される。
【００３５】
ここでは、外部装置の一例として、給湯装置本体４０、台所リモコン２０及び風呂リモコン３０を備えた給湯装置を用いている。給湯装置本体４０は、屋外または屋内の所定場所に設置されている。台所リモコン２０及び風呂リモコン３０は各々、給湯装置本体４０を遠隔操作するための遠隔操作装置であり、台所リモコン２０は例えば台所に設置され、風呂リモコン３０は浴室内に設置されている。
【００３６】
給湯装置本体４０と、台所リモコン２０の通信部２２と、風呂リモコン３０の通信部３２とは、例えば２芯の通信ケーブル４１により相互に接続されており、相互に通信可能である。
【００３７】
台所リモコン２０は、制御部２１、通信部２２及びスロット２３を備えている。スロット２３は、音源としての可搬型の記憶媒体２４が台所リモコン２０の外部から挿抜可能なように構成されている。なお、台所リモコン２０は、風呂リモコン３０と同様の表示部及び操作部を備えているが、ここでは図示を省略している。
【００３８】
スロット２３は、記憶媒体２４と制御部２１とを電気的に接続する。記憶媒体２４は、図２の記憶媒体１８と同様、圧縮された楽曲のオーディオデータ等が格納されており、音源として用いられる。
【００３９】
制御部２１は、例えばマイクロコントローラ等で構成され、台所リモコン２０の全体を制御する。また、制御部２１は、記憶媒体２４から圧縮されたオーディオデータを読み出し、通信部２２に供給する。
【００４０】
風呂リモコン３０は、制御部３１、通信部３２、表示部３３、操作部３４及び無線通信部３５を備えている。
【００４１】
制御部３１は、例えばマイクロコントローラ等で構成され、風呂リモコン３０の全体を制御する。表示部３３は、液晶等の表示画面及びＬＥＤ等を備え、制御部３１により制御され、各種の情報を表示する。操作部３４は、給湯装置本体４０を遠隔操作するための各種操作スイッチや、オーディオ装置１０Ａを操作するためのスイッチ等を備え、使用者の操作に応じた操作信号を制御部３１へ出力する。
【００４２】
無線通信部３５は、オーディオ装置１０Ａの無線通信部１９との間で、ブルートゥース（登録商標）等の近距離無線通信規格に基づく無線通信を行う。
【００４３】
また、制御部３１は、台所リモコン２０において記憶媒体２４から読み出されて通信部２２から送信されたオーディオデータを、通信部３２で受信し、その受信したオーディオデータを無線通信部３５に供給する。無線通信部３５は無線によりオーディオデータを送信する。
【００４４】
オーディオ装置１０Ａでは、無線通信部１９において、風呂リモコン３０の無線通信部３５から送信されるオーディオデータを受信する。そして、無線通信部１９で受信したオーディオデータをオーディオデコーダ部１２へ供給することにより、第１実施形態におけるオーディオ装置１０の場合と同様、振動スピーカ１５が、オーディオ信号によって駆動されて上下方向に振動し、それによって容器１が上下方向に振動することによって楽曲が再生される。
【００４５】
この第２実施形態では、風呂リモコン３０がオーディオ装置１０Ａを操作する機能を有している。図５（Ａ）は、風呂リモコン３０の一例を示す正面図であり、図５（Ｂ）、（Ｃ）はそれぞれオーディオ装置１０Ａを操作する場合の風呂リモコン３０の表示部３３の一例を示す図である。
【００４６】
図５（Ａ）に示す表示部３３には、図示していないが、通常、給湯の設定温度等が表示されている。そして、操作部３４として、複数のスイッチａ〜ｆなどが設けられている。
【００４７】
オーディオ装置１０Ａから音楽を再生する場合、例えば、入浴者がメニュースイッチａを押す。すると、図５（Ｂ）のように、表示部３３に複数のメニューが表示される。そして、入浴者が上下スイッチｃ，ｄを操作して複数のメニューの中から「音・その他メニュー」を指定した状態（反転表示された状態）で、ＯＫスイッチｂを押すと、図５（Ｃ）のように、表示部３３に複数の細分化されたメニューが表示される。この中から上下スイッチｃ，ｄを操作して例えば「プレイリスト」を指定した状態（反転表示された状態）で、ＯＫスイッチｂを押すと、制御部３１は、プレイリストの要求信号を通信部３２を介して台所リモコン２０へ送信する。台所リモコン２０では、通信部２２を介して制御部２１がプレイリストの要求信号を受け取ると、記憶媒体２４に記憶されているプレイリストの情報を読み出して、通信部２２を介して風呂リモコン３０へ送信する。
【００４８】
風呂リモコン３０では、通信部３２を介して制御部３１がプレイリストの情報を受け取ると、プレイリストの中の最初の楽曲の情報（曲名及びアーティスト名等）を表示部３３に表示させる。この状態で、例えば、右スイッチｅを押すたびに、順次、次の楽曲の情報が表示される。一方、左スイッチｆを押すたびに、１つ前の楽曲の情報が表示される。
【００４９】
そして、表示部３３に最初に再生したい楽曲（楽曲Ａ）の情報が表示された状態で、ＯＫスイッチｂを押すと、制御部３１は、楽曲Ａの要求信号を通信部３２を介して台所リモコン２０へ送信する。台所リモコン２０では、通信部２２を介して制御部２１が楽曲Ａの要求信号を受け取ると、記憶媒体２４から楽曲Ａから順番に楽曲のオーディオデータを読み出して、通信部２２を介して風呂リモコン３０へ送信する。
【００５０】
風呂リモコン３０では、通信部３２を介して制御部３１が楽曲のオーディオデータを受け取ると、無線通信部３５を介してオーディオ装置１０Ａへ送信する。
【００５１】
そして、オーディオ装置１０Ａでは、無線通信部１９を介して制御部１１が楽曲のオーディオデータを受け取ると、そのオーディオデータをオーディオデコーダ部１２へ供給し、第１実施形態の場合と同様、楽曲の再生が行われる。
【００５２】
この楽曲の再生中に風呂リモコン３０のＯＫスイッチｂを押すと再生を停止させることができる。また、再生中の音量の調整は、例えば上下スイッチｃ，ｄを操作して行うことができる。例えば、上スイッチｃを押すと音量が大きくなり、下スイッチｄを押すと音量が小さくなる。この場合、上スイッチｃが押されると、音量を大きくするための制御信号が制御部３１から無線通信部３５，１９を介して制御部１１へ送信され、制御部１１では、上記制御信号に基づいて音量を大きくするよう音量調整部（図示せず）を制御する。また、下スイッチｄが押されると、音量を小さくするための制御信号が制御部３１から無線通信部３５，１９を介して制御部１１へ送信され、制御部１１では、上記制御信号に基づいて音量を小さくするよう音量調整部を制御する。なお、音量調整部は、例えば、増幅部１４の前段に設けられる。
【００５３】
この第２実施形態のオーディオ装置１０Ａも、第１実施形態の場合と同様、簡単な構成で、かつ、使用者が入浴しながら良質な音楽を楽しむことができるという効果が得られる。
【００５４】
なお、第２実施形態では、音源として、オーディオデータが格納された記憶媒体２４を用いたが、台所リモコン２０にオーディオ入力端子やオーディオエンコーダなどを設け、音源としてのＣＤプレーヤなどを台所リモコン２０に接続してＣＤプレーヤなどからのオーディオデータを、台所リモコン２０及び風呂リモコン３０を介してオーディオ装置１０Ａへ供給するようにしてもよい。
【００５５】
また、オーディオ装置１０Ａに、第１実施形態のオーディオ装置１０のように、モーションセンサ１６を設け、オーディオ装置１０Ａの操作を、モーションセンサ１６で検出される容器１の動きに基づく操作によって行うことができるように構成してもよい。この場合、オーディオ装置１０Ａを風呂リモコン３０で操作できるように構成してもよいし、操作できないように構成してもよい。
【００５６】
また、オーディオ装置１０Ａに、第１実施形態のオーディオ装置１０のように、音源となる記憶媒体１８を装着したスロット１７を設け、オーディオ装置１０Ａの操作だけを、風呂リモコン３０を用いて行うように構成してもよい。
【００５７】
また、第１実施形態のオーディオ装置１０に、オーディオ装置１０Ａのような無線通信部１９を設け、オーディオ装置１０の操作を、モーションセンサ１６で検出される容器１の動きに基づく操作だけでなく、第２実施形態のように風呂リモコン３０の操作によっても行うことができるように構成してもよい。
【００５８】
上記説明から、当業者にとっては、本発明の多くの改良や他の実施形態が明らかである。従って、上記説明は、例示としてのみ解釈されるべきであり、本発明を実行する最良の態様を当業者に教示する目的で提供されたものである。本発明の精神を逸脱することなく、その構造及び／又は機能の詳細を実質的に変更できる。
【産業上の利用可能性】
【００５９】
本発明は、簡単な構成で、かつ、使用者が入浴しながら良質な音楽を楽しむことができるオーディオ装置等として有用である。
【符号の説明】
【００６０】
１  容器
１０，１０Ａ  オーディオ装置
１１  制御部
１２  オーディオデコーダ部
１３  Ｄ／Ａ変換部
１４  増幅部
１５  振動スピーカ
１６  モーションセンサ
１８，２４  記憶媒体
１９  無線通信部
【図１】
2019040075.tif 000003
【図２】
2019040075.tif 000004
【図３】
2019040075.tif 000005
【図４】
2019040075.tif 000006
【図５】
2019040075.tif 000007